(57)【要約】      （修正有）【課題】打球がホール標的の近くに着地したときに着地を確実に知らしめることができ、打球練習を面白くして飽きさせないグリーン標的装置を提供する。【解決手段】グリーン標的装置１は、ホール標的Ｈの周囲に設置されていてゴルフボールの着地を検出するボール検出センサ６と、ホール標的Ｈの周囲に設置されたＬＥＤ素子１２と、ボール検出センサ６によりゴルフボールの着地が検出されたときにＬＥＤ素子１２を発光させるＬＥＤ制御器１４とを備えた構成にしてある。また、ホール標的Ｈを囲むグリーンＧ上に複数のボール検出センサ６が設置され、グリーンＧの周囲にＬＥＤ素子１２が設置されているものである。【選択図】図１
0003222903.tif 000002
【実用新案登録請求の範囲】
【請求項１】
ホール標的の周囲に設置されていてゴルフボールの着地を検出するボール検出センサと、前記ホール標的の周囲に設置されたＬＥＤ素子と、前記ボール検出センサにより前記ゴルフボールの着地が検出されたときに前記ＬＥＤ素子を発光させるＬＥＤ制御器と、を備えていることを特徴とするグリーン標的装置。
【請求項２】
前記ホール標的を囲むグリーン上に前記ボール検出センサが設置され、前記グリーンまたは当該グリーンの周囲に前記ＬＥＤ素子が設置されていることを特徴とする請求項１に記載のグリーン標的装置。
【請求項３】
前記ボール検出センサが複数設置されるとともに、前記複数のボール検出センサは、前記ホール標的に近い領域に配置された近域配置群と、前記近い領域よりも前記ホール標的から遠い領域に配置された遠域配置群とに分別され、前記ＬＥＤ素子は、それぞれ点滅周期可能および／または発光色可変の発光態様をとれるように構成され、前記ＬＥＤ制御器は、前記近域配置群のボール検出センサにより前記ゴルフボールの着地が検出されたときと、前記遠域配置群のボール検出センサにより前記ゴルフボールの着地が検出されたときとで異なる発光態様で前記ＬＥＤ素子を発光させるように構成されていることを特徴とする請求項１または請求項２に記載のグリーン標的装置。
【請求項４】
前記ボール検出センサが、板材と、前記板材に取り付けられていて前記ゴルフボールが当たったときの当該板材の振動を検出する振動センサと、から構成されていることを特徴とする請求項１から請求項３のいずれか一項に記載のグリーン標的装置。
【考案の詳細な説明】
【技術分野】
【０００１】
本考案は、ホールに向けてゴルフボールをアプローチするためのグリーン標的装置に関するものである。
【背景技術】
【０００２】
従来、この種の標的ツールとしては、下記の特許文献１に記載されたものが知られている。この標的ツールは弾性変形可能な円環状の紐状部材で構成されていて全周長可変になっており、全周長を伸ばして大径にすればアプローチ練習用にも使えるとされている。
【先行技術文献】
【特許文献】
【０００３】
【特許文献１】登録実用新案第３１５５０８５号公報
【考案の概要】
【考案が解決しようとする課題】
【０００４】
ところで、上記した文献記載の標的ツールでは、紐状部材を大径にしてアプローチ練習用に使用されるが、単に円環状になっただけなので、面白みに欠けるところがある。そのために、繰り返し練習に飽きやすくなって、やる気を損ねるおそれがある。また、打球位置から比較的遠いところに標的ツールを置いた場合、アプローチショットの打球が標的ツール内に着地したか否かを目で視認し難い場合もある。
【０００５】
本考案は、上記した従来の問題点に鑑みてなされたものであって、打球がホール標的の近くに着地したときにその着地を確実に知らしめることができ、打球練習を面白くして飽きさせないグリーン標的装置の提供を目的とする。
【課題を解決するための手段】
【０００６】
上記目的を達成するために、本考案に係るグリーン標的装置は、ホール標的の周囲に設置されていてゴルフボールの着地を検出するボール検出センサと、ホール標的の周囲に設置されたＬＥＤ素子と、ボール検出センサによりゴルフボールの着地が検出されたときにＬＥＤ素子を発光させるＬＥＤ制御器と、を備えていることを特徴とする構成にしてある。前記のＬＥＤとは、Light Emitting Diodeの英略字であり、発光ダイオードのことである。以下、同じ。
【０００７】
また、前記構成において、ホール標的を囲むグリーン上にボール検出センサが設置され、グリーンまたは当該グリーンの周囲にＬＥＤ素子が設置されていることを特徴とするものである。
【０００８】
そして、前記した各構成において、ボール検出センサが複数設置されるとともに、複数のボール検出センサは、ホール標的に近い領域に配置された近域配置群と、近い領域よりもホール標的から遠い領域に配置された遠域配置群とに分別され、ＬＥＤ素子は、それぞれ点滅周期可能および／または発光色可変の発光態様をとれるように構成され、ＬＥＤ制御器は、近域配置群のボール検出センサによりゴルフボールの着地が検出されたときと、遠域配置群のボール検出センサによりゴルフボールの着地が検出されたときとで異なる発光態様でＬＥＤ素子を発光させるように構成されていることを特徴とするものである。
【０００９】
更に、前記した各構成において、ボール検出センサが、板材と、板材に取り付けられていてゴルフボールが当たったときのその板材の振動を検出する振動センサと、から構成されていることを特徴とするものである。
【考案の効果】
【００１０】
本考案に係るグリーン標的装置によれば、ホール標的の周囲に設置されたボール検出センサと、ボール検出センサからの出力を受信するＬＥＤ制御器と、ＬＥＤ制御器からの出力により発光するＬＥＤ素子とを備えているので、ボール検出センサによりゴルフボールの着地が検出されたときに、ＬＥＤ制御器がＬＥＤ素子に出力してＬＥＤ素子を発光させることができる。従って、練習者は打球の着地点や転がり先をはっきりと確認することができ、射的のような醍醐味を覚えて達成感や喜びを享受することができる。
【００１１】
また、ホール標的を囲むグリーン上にボール検出センサが設置されているものでは、狙える着地標的域をホール標的だけの場合よりも比較的広い範囲のものにすることができる。また、グリーンまたは当該グリーンの周囲にＬＥＤ素子が設置されているものでは、ゴルフボールがボール検出センサに接したときに、近隣にあるグリーン周りのＬＥＤ素子が光るので、練習者は即座にボールの着地を確認することができ、良好な結果のときの打球フォームを覚えやすくなる。
【００１２】
そして、近域配置群のボール検出センサによりゴルフボールの着地が検出されたときと、遠域配置群のボール検出センサによりゴルフボールの着地が検出されたときとで異なる発光態様でＬＥＤ素子を発光させるように、ＬＥＤ制御器が構成されているものでは、打席から遠い位置にあって着地を判別し難いホール標的であっても、ホール標的からボール着地点までの遠近を知ることができる。従って、練習の効率を高めることができる。
【００１３】
更に、ボール検出センサが板材と振動センサとから構成されているものでは、いずれも簡素な構成で入手容易な部品であるから、故障しにくく信頼性が高く安価なセンサとして使用することができる。
【図面の簡単な説明】
【００１４】
【図１】本考案の一実施形態に係るグリーン標的装置を示す平面構成図である。
【図２】図１におけるＡ−Ａ線矢視断面図である。
【図３】前記グリーン標的装置の発光部を中心とした概略構成図である。
【図４】前記グリーン標的装置の制御部を中心としたブロック構成図である。
【図５】前記グリーン標的装置を適用したゴルフ練習場の概略構成図である。
【図６】本考案の別の実施形態に係るグリーン標的装置を示す平面構成図である。
【図７】本考案の他の実施形態に係るグリーン標的装置を示す図であって、（ａ）は平面構成図、（ｂ）は概略側断面図である。
【考案を実施するための形態】
【００１５】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るグリーン標的装置を示す平面構成図、図２は図１におけるＡ−Ａ線矢視断面図である。
各図において、この実施形態に係るグリーン標的装置１は、ホール標的Ｈの周囲に配置されて打球の標的となる標的部２と、標的部２の周囲にあるグリーンＧの外周に沿って円環状に配置された発光部３と、発光部３の発光動作を制御する制御部４と、から主に構成されている。ホール標的Ｈの周囲のグリーンＧは、直径Ｄ２（例えば１５ｍ）の略円形に形成されている。前記のホール標的Ｈは、グリーンＧに掘削された規定径の実ホールでもよいし、規定径の円形に表わされた図形であってもよい。
【００１６】
前記の標的部２は、ホール標的Ｈを囲んで配置されゴルフボールＢの着地を検出する平面略円形状のグリーン標的５を備えている。このグリーン標的５は直径Ｄ１（例えば４ｍ）の略円形に形成されている。グリーン標的５は、個々にゴルフボールＢの着地を検出する、例えば１６個のボール検出センサ６，６，６，・・・で構成されている。これらのボール検出センサ６，６，６，・・・はグリーンＧ上に格子状に設置されている。前記したボールＢの着地とは、練習者により打たれたボールＢが落下してボール検出センサ６に直接あたった場合、手前のグリーンＧ上に落ちてバウンドしたボールＢがボール検出センサ６にあたった場合などであり、後述するボール検出センサ６の板材７を振動させる場合である。
【００１７】
個々のボール検出センサ６は、それぞれ、板材７と、板材７の下面に垂設された脚部１０と、板材７の下面に取り付けられていてゴルフボールＢが当たったときの板材７の振動を検出する振動センサ８と、から構成されている。板材７は例えばステンレス鋼板で構成され、その上面は例えば高麗芝を模した色に着色されている。振動センサ８としては例えばオムロン社製のシール型振動センサ（型番：Ｄ７Ｅ）を用いているが、これ以外の構成を用いても構わない。そして、各振動センサ８からの振動信号は、各振動センサ８に接続された信号線９を介して出力される。この場合、１５個の振動センサ８，８，８，・・・からの信号線９，９，９，・・・は、１個の振動センサ８（＝８Ａ）につながっている。そして、振動センサ８（＝８Ａ）は信号線１９を介して後出の制御部４のＬＥＤ制御器１４につながっている。すなわち、全ての振動センサ８，８，８，・・・，８Ａからの振動信号は、いずれも信号線１９を経由してＬＥＤ制御器１４に出力されるようになっている。
【００１８】
0
【００１９】
前記の制御部４は、グリーンＧの傾斜下方位置に掘削されたボール回収溝２０内に配備されていて、標的部２からの信号出力を受けて発光部３を駆動制御するＬＥＤ制御器１４と、交流・直流変換用のＡＤ変換アダプタ１６と、ＡＤ変換アダプタ１６に交流電源（例えば電圧１００Ｖ）を供給するための電源線１７と、ＡＤ変換アダプタ１６からの直流電源（例えば電圧１２Ｖ）をＬＥＤ制御器１４および発光部３に供給するための電源線１５と、から構成されている。
【００２０】
前記の発光部３および制御部４において、信号動力線１３は、図３に示すように、赤色発光信号を流すＲ信号線３６Ｒと、緑色発光信号を流すＧ信号線３６Ｇと、青色発光信号を流すＢ信号線３６Ｂと、給電用のコモン線３６Ｃとから構成され、隣り合うＬＥＤ素子１２，１２間を通信接続している。信号線１８は、Ｒ信号線３６Ｒ、Ｇ信号線３６ＧおよびＢ信号線３６Ｂから成り,ＬＥＤ制御器１４の信号出側から１番目のＬＥＤ素子１２（１）の間を通信接続している。各ＬＥＤ素子１２は、データ入側端子および出側端子にＲＧＢ信号線３６Ｒ，３６Ｇ，３６Ｂおよびコモン線３６Ｃがつながれたマイコンチップ３２と、マイコンチップ３２からの出力に基づいてＲＧＢ各色を発光させるＲＧＢ発光素子３３と、を備えている。すなわち、前記のＬＥＤ素子１２は、それぞれ点滅周期可変および発光色可変の発光態様をとれるよう、光３原色（Ｒ，Ｇ，Ｂ）を個別に発光して数百階調の色を表現できるように構成されている。
【００２１】
そして、３１４個のＬＥＤ素子１２，１２，１２，・・・は、最初８０個のＬＥＤ素子１２（１）〜１２（８０）のグループ、次のＬＥＤ素子１２（８１）〜１２（１６０）のグループ、その次のＬＥＤ素子１２（１６１）〜１２（２４０）のグループ、および更なるＬＥＤ素子１２（２４１）〜１２（３１４）のグループのそれぞれに、電源線１５が個別に接続されてＡＤ変換アダプタ１６から１２Ｖの直流電源が供給されるようになっている。これは、１つの電源線１５に個別につながって直列に接続されるＬＥＤ素子１２の数が１００個を超えると、著しく電圧降下を生じることとなり、各ＬＥＤ素子１２の発光出力が不安定になることを回避するためである。このようなグリーン標的装置１が複数用いられる場合は、複数のグリーン標的装置１のＬＥＤ制御器１４，１４，１４，・・・がそれぞれ信号線３４を介して中央制御器３５の中央演算処理ユニットに通信接続され、中央制御器３５により集中管理されるようになっている。
【００２２】
前記のＬＥＤ制御器１４は汎用市販品であり、図４に示すように、中央演算処理ユニットＣＰＵを中心として構成されている。中央演算処理ユニットＣＰＵとつながる入出力ポートＩ／Ｏのデータ入り側には、振動センサ８，８，８，・・・，８Ａからの振動データを送信するための信号線１９が通信接続されている。入出力ポートＩ／Ｏのデータ出側には、発光部３のＬＥＤ素子１２，１２，１２，・・・を発光駆動させるＬＥＤドライバ２１、後出の電光板２４，２４を駆動させるドライバ、および後出の電光掲示板２５を駆動させるドライバがそれぞれ通信接続されている。また、入出力ポートＩ／Ｏには、制御プログラムデータの保存や検出データの一時的保持を行なうメモリＭもつながっている。このメモリＭには、いずれかのボール検出センサ６によりゴルフボールＢの着地が検出されたときにＬＥＤ素子１２を発光させる処理手順のプログラムデータが予め格納されている。
【００２３】
上記した構成のグリーン標的装置１は、例えば図５に示すようなゴルフ練習場２２に適用される。このゴルフ練習場２２は、打球ボックス２６側から奥側に向かって昇る傾斜に形成されていて芝を敷き詰められたフェアウェイＬと、フェアウェイＬの周囲を囲んで配置された補球ネット２３と、左右の補球ネット２３に取り付けられた電光板２４，２４と、最奥部の補球ネット２３に取り付けられた電光掲示板２５と、備えて構成されている。また、フェアウェイＬの随所には、複数のグリーン標的装置１，１，１，・・・、複数の疑似バンカー２７，２７，２７，・・・および複数の疑似ハザード２８，２８，２８，・・・が、それぞれ適所に配置されている。各電光板２４は所定の図形や模様を発光表示する。電光掲示板２５は多数のＬＥＤ素子が２次元配置されて文字や図形を発光表示する。
【００２４】
上記のように構成されたグリーン標的装置１の作用を次に説明する。図５において、例えば奥側に向かって右半分にあるグリーン標的装置１に向けて利用者が打球ボックス２６からゴルフボールＢを打った場合を想定する。打たれたゴルフボールＢはうまく飛んで、当該グリーン標的装置１におけるホール標的Ｈの例えば手前右側にあるボール検出センサ６（図１および図２参照）の板材７上に落ちた（着地）とする。すると、そのボール検出センサ６の振動センサ８が板材７の振動を検出し、検出信号を信号線９経由で近隣のボール検出センサ６の振動センサ８Ａに出力する。振動センサ８Ａに届いた検出信号は信号線１９経由でＬＥＤ制御器１４に入力される。すると、ＬＥＤ制御器１４の中央演算処理ユニットＣＰＵはＬＥＤドライバ２１を作動させ、発光出力信号を信号線１８経由で発光部３のＬＥＤ素子１２（１）へ出力して発光させる。前記の発光出力信号は、信号線１３を経て矢印Ｎのように逐次伝搬され、ＬＥＤ素子１２（２）〜ＬＥＤ素子１２（３１４）に順次発光Ｅをさせる。これらＬＥＤ素子１２（１）〜ＬＥＤ素子１２（３１４）による発光態様とは、例えば、個々のＬＥＤ素子１２毎に発光色や色調を変えたり、点灯消灯を繰り返したり、点滅間隔を変えたり、色模様を変化させたり、色光を矢印Ｎ方向へ走査させたりすることである。
【００２５】
このような発光部３の発光Ｅと同時に、中央制御器３５は、ゴルフボールＢが着地したグリーン標的装置１がフェアウェイＬ中の右半分にあると判定し、右側の捕球ネット２３の電光板２４のＬＥＤ素子を駆動させて発光Ｅをさせる。これにより、標的とするグリーン標的５にゴルフボールＢが乗ったことを、練習者はもとより観覧者にも知らしめて楽しませるのである。尚、フェアウェイＬ中の左半分にあるグリーン標的装置１にゴルフボールＢが着地したとき、中央制御器３５は左側の捕球ネット２３の電光板２４のＬＥＤ素子を駆動させて発光Ｅをさせる。また、これらの場合、中央奥の電光掲示板２５には、発光Ｅとともに「ナイスショット」などの文字も発光表示される。
【００２６】
上記したように、この実施形態のグリーン標的装置１によれば、いずれかのボール検出センサ６によりゴルフボールＢの着地が検出されたときに、ＬＥＤ制御器１４がＬＥＤ素子１２に発光信号を出力してＬＥＤ素子１２を発光させるので、練習者に対し、ゴルフボールＢの着地点や転がり先をはっきりと確認させることができ、射的のような醍醐味を与えることができ、達成感や喜びを引き出すことができる。そして、各ボール検出センサ６は、いずれも簡素な構成で入手容易な部品（例えば板材７および振動センサ８）で構成されているので、故障しにくくて信頼性が高く、安価に提供され得る。
【００２７】
そして、ホール標的Ｈを囲むグリーンＧ上に複数のボール検出センサ６，６，６，・・・が設置されているので、狙える着地標的域をホール標的Ｈだけのものよりも広くとることができる。また、グリーンＧの周囲に多数のＬＥＤ素子１２，１２，１２，・・・が設置されているので、或るボール検出センサ６にゴルフボールＢが接したときに、近くにあるグリーンＧ周りのＬＥＤ素子１２が光るから、練習者は即座にボールＢの着地点を確認することができ、良好な結果のときの打球フォームを忘れずに済む。
【００２８】
尚、上記の実施形態では、ホール標的Ｈからボール着地点にあるボール検出センサまでの距離が如何ほどであろうと、ＬＥＤ素子１２，１２，１２，・・・を同じ形態で発光させるものを例示したが、本考案はそれに限定されるものでない。例えば、図６に示すような標的部２ａを有するグリーン標的装置も、本考案に含まれる。前記の標的部２ａは、実施形態１のグリーン標的５と同様構成であるグリーン標的５ａを有している。但し、このグリーン標的５ａでは、ホール標的Ｈを取り巻く位置（すなわち近領域２９内の位置）に、４個のボール検出センサ６Ｂ，６Ｂ，６Ｂ，６Ｂが設置されている。各ボール検出センサ６Ｂには、板材７の下面に振動センサ８ｂが取り付けられ、各振動センサ８ｂには信号出力用の信号線９がつながれている。振動センサ８ｂのうちの一つは信号取りまとめ用の振動センサ８ｂＡとなっており、この振動センサ８ｂＡに対し他の振動センサ８ｂ，８ｂ，８ｂからの信号線９，９，９が通信接続されている。そして、ボール検出センサ６Ｂ，６Ｂ，６Ｂ，６Ｂの外方位置（すなわち遠領域３０の位置）には、１２個のボール検出センサ６Ａ，６Ａ，６Ａ，・・・が設置されている。各ボール検出センサ６Ａには、板材７の下面に振動センサ８ａが取り付けられ、各振動センサ８ａには信号出力用の信号線９がつながれている。振動センサ８ａのうちの一つは信号取りまとめ用の振動センサ８ａＡとなっており、この振動センサ８ａＡに対し他の振動センサ８ａ，８ａ，８ａ，・・・からの信号線９，９，９，・・・が通信接続されている。
【００２９】
この実施形態のグリーン標的装置では、遠領域３０のボール検出センサ６Ａによる着地検出に対応したＬＥＤ制御器１４と、近領域２９のボール検出センサ６Ｂによる着地検出に対応したＬＥＤ制御器１４Ａと、を備えている。ＬＥＤ制御器１４とＬＥＤ制御器１４Ａはほぼ同等の機能を有しており、いずれも電源線１５を介してＡＤ変換アダプタ１６からの直流電源が供給されている。これらのＬＥＤ制御器１４，１４Ａは信号線１８，１８Ａを介して発光部３のＬＥＤ素子１２（１）に通信接続され、信号線１９，１９Ａを介して振動センサ８ａＡ，８ｂＡと通信接続されている。そして、ＬＥＤ制御器１４Ａは、近領域２９に配置されているボール検出センサ６ＢによりゴルフボールＢの着地が検出されたときに、ＬＥＤ素子１２（１）〜１２（３１４）を発光させる処理手順に関するプログラムデータを自身のメモリに予め格納している。一方、ＬＥＤ制御器１４は、遠領域３０に域配されているボール検出センサ６ＡによりゴルフボールＢの着地が検出されたときに、ＬＥＤ素子１２（１）〜１２（３１４）を発光させる処理手順に関するプログラムデータを自身のメモリに予め格納している。
【００３０】
前記した構成のグリーン標的装置によれば、近領域２９にあるボール検出センサ６ＢによりゴルフボールＢの着地が検出されたときは、ＬＥＤ制御器１４ＡがＬＥＤ素子１２，１２，１２，・・・を作動させ、賑やかで明るく点滅感覚の短い派手な態様で発光をさせる。一方、遠領域３０にあるボール検出センサ６ＡがゴルフボールＢの着地を検出したときは、ＬＥＤ制御器１４がＬＥＤ素子１２，１２，１２，・・・を作動させ、淡光色にして点滅間隔を少し長くするといった落ち着いた態様で発光をさせる。従って、練習者は、打球ボックス２６からでもホール標的Ｈに対する着地点の遠近度合を知ることができ、練習の効率を更に高めることができる。
【００３１】
一方で、近距離のアプローチ練習専用として、図７に示すようなグリーン標的装置１ａも本考案に含まれる。このグリーン標的装置１ａは、図５に示したゴルフ練習場２２において、例えば打球ボックス２６からの距離Ｐが３０〜４０ヤードの位置に配置される。図７において、グリーン標的装置１ａは、標的部２ｂと、発光部３ａと、制御部４とから構成されている。  前記の標的部２ｂは、厚さが５ｍｍで直径Ｄ１ａが１ｍ程度の１枚物のポリプロピレン板で構成された板材７ａと、板材７ａの上面の平面視中央部に設けられたホール標的Ｈａと、板材７ａの下面に固設された振動センサ８と、を備えて構成されている。すなわち、標的部２ｂにおけるボール検出センサは、板材７ａと振動センサ８とから構成される。そして、標的部２ｂは、板材７ａの下面に垂設された高さ３０〜５０ｍｍの脚部１０，１０，１０，・・・により、打球ボックス２６近くのフェアウェイＬ上に置かれる。
【００３２】
前記の発光部３ａはＬＥＤ素子１２の設置数は少ないが、既述の発光部３（図１参照）と同じ基本構造を有している。この発光部３ａは、板材７ａの外周縁に円環状に固設された小径（直径Ｄ１ａ＝１ｍ程度）の保護用チューブ１１ａと、保護用チューブ１１ａ内に装填されて離間配置されたＬＥＤ素子１２，１２，１２，・・・と、隣り合うＬＥＤ素子１２，１２の間をつなぐ信号動力線１３，１３，１３，・・・と、から構成されている。前記の制御部４を主に構成するＬＥＤ制御器１４Ｂは、既述のＬＥＤ制御器１４と同様の機能を備えている。このＬＥＤ制御器１４Ｂも、信号線３４を介して通信接続された中央制御器３５により集中制御される。そして、振動センサ８、ＡＤ変換アダプタ１６およびＬＥＤ制御器１４Ｂは、板材７ａの下面に固設されている。振動センサ８、ＡＤ変換アダプタ１６およびＬＥＤ制御器１４Ｂに対する、信号線９、電源線１５、電源線１７および信号線１８の配線態様は、図１などに示したグリーン標的装置１の配線態様と同様である。
【００３３】
上記した構成のグリーン標的装置１ａは、極めて小型・軽量で簡素な構成であるから、安価に提供されていくつでも用意し得るし、設置場所も自由に変えることができる。従って、近距離のアプローチ練習用として極めて好適であり、練習者にも重宝される。
【００３４】
そして、本考案は、上記した実施の形態に限定されるものではなく、本考案の分野における通常の知識を有する者であれば想到し得る、各種変形、修正を含む、本考案の要旨を逸脱しない範囲の設計変更があっても、本考案に含まれることは言うまでもない。
【符号の説明】
【００３５】
１，１ａ  グリーン標的装置
５，５ａ    グリーン標的
６，６Ａ，６Ｂ  ボール検出センサ
７    板材
８，８Ａ，８ａ，８ａＡ，８ｂ，８ｂＡ  振動センサ
１２  ＬＥＤ素子
１４，１４Ａ，１４Ｂ  ＬＥＤ制御器
２２  ゴルフ練習場
２９  近領域
３０  遠領域
Ｂ  ゴルフボール
Ｈ  ホール標的
Ｇ  グリーン
【図１】
0003222903.tif 000003
【図２】
0003222903.tif 000004
【図３】
0003222903.tif 000005
【図４】
0003222903.tif 000006
【図５】
0003222903.tif 000007
【図６】
0003222903.tif 000008
【図７】
0003222903.tif 000009